(57)【要約】      （修正有） 【課題】重みを一本の帯バンドを利用し腕、手首、手のひら指と分散させることで、細い取手でも楽に持ち運びできる手さげ補助バンドを提供する。【解決手段】２ａ，２ｂ一本の帯バンドを２つ折りした帯状バンド１ａ，１ｂの折り目部内側に挿通した２個のＤ型ング２ａ，２ｂと、前記２つ折りした帯状ベルトの折り部を前記２個のリング挿通側から中途まで縫い合わせた第１の縫い合わせ部３ａと、該縫い合わせ部を除く縫い合わせをしていない残りの前記２つ折りした２枚の帯状バンドの内側の１枚を前記２個のリングに通す第１の挿通部と、前記縫い合わせをしていない残りの２つ折りした外側の１枚の帯状バンドを通す前記２個のリングの１個だけを通す第２の挿通部と、前記１対の挿通部を除いて前記縫い合わせをしていない残りの２つ折りした２枚の帯状バンドを先端までを縫い合わせた第２の縫い合わせ部３ｂにより構成する。【選択図】図３
0003149380.tif 000002
【実用新案登録請求の範囲】
【請求項１】
一本の帯ベルトを２つ折りした帯状ベルトの折り目部内側に挿通した２個のＤ型ングと、前記２つ折りした帯状ベルトの折り部を前記２個のリング挿通側から中途まで縫い合わせた第１の縫い合わせ部と、該縫い合わせ部を除く縫い合わせをしていない残りの前記２つ折りした２枚の帯状ベルトの内側の１枚を前記２個のリングに通す第１の挿通部と、前記縫い合わせをしていない残りの２つ折りした外側の１枚の帯状ベルトを通す前記２個のリングの１個だけを通す第２の挿通部と、前記１対の挿通部を除いて前記縫い合わせをしていない残りの２つ折りした２枚の帯状ベルトを先端までを縫い合わせた第２の縫い合わせ部を具備してなることを特徴とする手提げ補助バンド。
【請求項２】
上記縫い合わせをしていない２つ折りした帯状ベルトの前記第２の挿通部に、第３
のリングを挿着したことを特徴とする請求項１に記載の手提げ補助バンド。 
【考案の詳細な説明】
【技術分野】
【０００１】
本考案は、各種手さげ袋、カバン等の中身が重くなるほど紐とか取手が手のひらや指先に食い込み長時間持つことができない、手提げ補助バンドにより細い取手の手提げ袋やカバンの重みを腕、手首、手のひら、指先と全体で持つことで重みを分散させ食い込みを防止することで重量以上に軽く感じ又局部的に痛みも感じず持ち運びが容易にできる補助バンドに関するものである。
【背景技術】
【０００２】
従来の荷物運搬補助器具には、バンドの大きさを調整するバックルと荷物を掛けるフックが施されているものがある(例えば、特許文献１参照。)。また、手のひら指に当てる手指緩衝体を配置しているものがある(例えば、特許文献２参照。)。
【先行技術文献】
【特許文献】
【０００３】
【特許文献１】公開特許公報２００５−２８０９９０号
【特許文献２】公開特許公報２００７−３７８６２号
【考案の概要】
【考案が解決しようとする課題】
【０００４】
手提げた荷物は、荷物の重みで局部の手のひら、指に荷重が掛かり長時間手提げる事が出来ず右手、左手と何度となく持ち替えるのが現状で、楽に手提げる事ができず、また片手に別の物を持っていると持ち替える事も出来ず大変な苦労であった為、これらの課題を解決するものである。
【課題を解決するための手段】
【０００５】
本考案１は、一本の帯ベルトを２つ折りした帯状ベルトの折り目部内側に挿通した２個のD型リングと、前記２つ折りした帯状ベルトの折り部を前記２個のリング挿通側から中途まで縫い合わせた第１の縫い合わせ部と、該縫い合わせ部を除く縫い合わせをしていない残りの前記２つ折りした２枚の帯状ベルトを前記２個のＤ型リングに通す第１の挿通部と、前記縫い合わせをしていない残りの２つ折りした１枚の帯状ベルトのみを通す前記１個のＤ型リングに通す第２の挿通部と、前記縫い合わせをしていない残りの２つ折りした２枚の帯状ベルトを先端までを縫い合わせた第２の縫い合わせ部を具備してなることを特徴とする手提げ補助バンドとし、更に、本考案２は、前記縫い合わせをしていない２つ折りした帯状ベルトの前記第２の挿通部に、第３のリングを挿着した手提げ補助バンドとした。即ち、バンドを二つ折りにして、折った側に二個のリング(例えば、D型リング：以下、Dリングと略称)を嵌めリングがずれない様にバンド同士を縫い合せ、縫い合せる範囲は絞った時、ベルトで出来るリングで手首が締まりすぎない適度な範囲の長さで縫い合せると共に、縫い合わせをしていない部分の二本のベルトを一個目のDリングに通し、二個目のDリングに内側のベルト一本を通し手、手首の大きさに関係なく嵌める事が出来る様フリーサイズのベルトリングを作り先端を一本になる様縫い合せた、三個目のDリングは物を提げた時、折り返しベルトの緩みを防止できる構造とした。
【考案の効果】
【０００６】
本考案は、上記構成としたことにより、各種手提げ袋、手提げカバン等の重みを腕、手首、手のひら、指の部分で分散して持つ事が出来るので力の弱い人でも楽に長時間持ち運びが出来るようになった。
【図面の簡単な説明】
【０００７】
【図１】本考案に係る手提げ補助バンドを構成する帯状バンドの斜視図
【図２】帯状バンドと係着するD型金具の平面図
【図３】本考案に係る手提げ補助バンドの斜視図
【図４】本考案に係る手提げ補助バンドを手首に取付、手提げ袋を提げた状態を示す説明図である。
【考案を実施するための形態】
【０００８】
本考案に係る具体的実施例を図１〜図４を参照して以下説明する。
【実施例】
【０００９】
図１は、本考案に係る手提げ補助バンドを構成する布製の帯状バンド１を、図２は、帯状バンド１と係着するD型金具(リング)２を示し、図３に図示する如く、布製の帯状バンド１を二つ折りにして、折った側(２つ折りした帯状ベルトの折り目部内側)に二個のD型金具(リング)２を嵌め、二個のD型金具(リング)２がずれない様に、二つ折りにした二枚の帯状バンド１同士を縫い合せ、第１の縫い合せ部３ａを形成した。第１の縫い合せ部３ａの縫い合せ３範囲は帯状バンド１を手６に通して絞った時、帯状バンド１で形成される輪５の径は、絞った帯状バンド１で手首６ａが締まりすぎない適度な範囲の長さを縫い合せると共に、縫い合わせ３をしていない二つ重折の外側帯状バンド１ａと，内側帯状バンド１ｂベルトを一個目のD型金具(リング)２ａに通し、二個目のD型金具(リング)２ｂには、二つ折りにした二枚の帯状バンド１の内側の一枚の帯状バンド１ａのみを通し、図４に図示する如く、手６、手首６ａの大きさに関係なく嵌める事が出来る様フリーサイズの帯状ベルト１の輪5を作り、図３に図示する如く、二つ折りにした二枚の帯状バンド１同士を縫い合せ３ａ、二枚の帯状バンド１先端を一本になる様縫い合せ、第２の縫い合せ部３ｂを形成した。三個目のD型金具(リング)２ｃは、手提げ袋等の手提げ部４を提げた時、折り返しベルトの緩み防止になる構造とした。本考案の手提げ補助バンドにより細い取手の手提げ袋やカバンの重みを腕、手首６ａ、手のひら、指先と全体で持つことで重みを分散させ、手のひら等への食い込みを防止し、重み以上に軽く感じ又局部的に痛みも感じず持ち運びが容易にできるようになった。図４図示する実施例では、三個目のD型金具(リング)２ｃを用い、折り返しベルトの緩みを防止したが、三個目のD型金具(リング)２ｃを用いずに、第２の縫い合せ部３ｂの折り返し部を直接、手のひらで把持しても良いことは言うまでもない。更に、図示は省略したが、三個目のD型金具(リング)２ｃを用いずに、第２の縫い合せ部３ｂにフックなどを縫着若しくは、吊着させて用いても良い。
【００１０】
本考案に係る手提げ補助バンドは、シンプルで材料も少なく、簡単に安く製作することができた。
【符号の説明】
【００１１】
１    帯状バンド
１ａ  二重折の外側帯状バンド
１ｂ  二重折の内側帯状バンド
１ｃ  Ｄ型金具取付帯状バンド部
２    D型金具(リング)
２ａ  一個目のD型金具(リング) 
２ｂ  二個目のD型金具(リング) 
２ｃ  三個目のD型金具(リング)
３    縫い合せ
３ａ  第１の縫い合せ部
３ｂ  第２の縫い合せ部
４    手提げ袋等の手提げ部
５    帯状バンド１で形成される輪
６      手
６ａ  手首
【図１】
0003149380.tif 000003
【図２】
0003149380.tif 000004
【図３】
0003149380.tif 000005
【図４】
0003149380.tif 000006